(57)【要約】 【課題】読影医に対して読影を依頼するための紙の伝票の作成、ＰＣ上で読影オーダを作成するためのユーザ操作等の手間を無くす。【解決手段】レポート管理サーバ４０は、メディアＭから読み出したＤＩＣＯＭ画像データの付帯情報に含まれる患者情報及び検査情報に基づいて、当該患者情報及び／又は検査情報に対応する医用画像のワークオブジェクトを自動的に生成する。レポート管理サーバ４０は、読影医用ＰＣ端末２０から読影ワークリスト取得要求を受信すると、生成されたワークオブジェクトに基づいて、読影ワークリストを自動的に生成し、読影医用ＰＣ端末２０に送信する。【選択図】図１
2009176134.tif 000002
【特許請求の範囲】
【請求項１】
医用画像の読影レポートを管理するレポート管理サーバであって、
前記医用画像、当該医用画像に対応する患者情報及び／又は検査情報を含むデータが記憶された可搬型記憶媒体から前記データを読み出す読出手段と、
前記読出手段を介して読み出した患者情報及び／又は検査情報に基づいて、当該患者情報及び／又は検査情報に対応する医用画像の読影ワークリストを生成する生成手段と、
を備えるレポート管理サーバ。
【請求項２】
前記生成手段は、前記読出手段を介して読み出した患者情報及び／又は検査情報に基づいて、前記読影ワークリストに含まれる緊急度、読影医又はワークアイテムの項目を設定する、
請求項１に記載のレポート管理サーバ。
【請求項３】
前記生成手段は、前記読出手段を介して読み出した患者情報及び／又は検査情報に基づいて、読影医毎に対応する読影ワークリストを生成する、
請求項１又は２に記載のレポート管理サーバ。
【請求項４】
医用画像の読影レポートを管理するコンピュータを、
前記医用画像、当該医用画像に対応する患者情報及び／又は検査情報を含むデータが記憶された可搬型記憶媒体から前記データを読み出す読出手段、
前記読出手段を介して読み出した患者情報及び／又は検査情報に基づいて、当該患者情報及び／又は検査情報に対応する医用画像の読影ワークリストを生成する生成手段、
として機能させるためのプログラム。
【発明の詳細な説明】
【技術分野】
【０００１】
本発明は、レポート管理サーバ及びプログラムに関する。
【背景技術】
【０００２】
近年、医療の分野では、患者を撮影した医用画像のデジタル化が実現されている。例えば、ＣＲ（Computed Radiography）装置、ＣＴ（Computed Tomography）装置、ＭＲＩ（Magnetic Resonance Imaging）装置等の撮影装置により撮影され、デジタル化された医用画像は、患者情報や検査情報等とともにＰＡＣＳ（Picture Archiving and Communication System）と呼ばれる画像サーバに保存され、管理されている。これに伴い、診断に用いられる画像が、フィルムに出力された画像からモニタに表示された画像へと移行してきている。
【０００３】
ところで、撮影装置の種類も増え、より高解像度の画像が得られる等、技術の進歩により、医師の診断においても、より高度な専門性が要求されてきている。また、撮影される画像量が多くなってきているため、臨床医が患者と対面しながら画像診断をすることは困難である。そのため、大規模な病院では、読影専門の医師（読影医）が画像を診断し、読影レポート（報告書）を作成し、その結果に基づいて、臨床医が病名診断を行う場合が多い。
【０００４】
また、臨床医が読影医に対して読影を依頼する際には、紙の伝票を渡しているか、撮影時に電子カルテサーバやオーダリングシステムを通じて、読影レポートを管理するためのレポート管理サーバに読影オーダ情報を送っている。
【０００５】
例えば、ＲＩＳが読影オーダの発行を行い、読影レポートサーバが当該読影オーダを格納し、読影レポート作成装置が読影レポート作成の進捗状況（未読影、読影中、既読影）、検査が確定診断待ちの状態にあるか否かを表示する技術が提案されている（特許文献１参照）。
【特許文献１】特開２００７−９４５１５号公報
【発明の開示】
【発明が解決しようとする課題】
【０００６】
しかし、読影医に対して読影を依頼するための紙の伝票の作成、ＰＣ上で読影オーダを作成するためのユーザ操作等は、臨床医にとって手間のかかる作業であった。そして、読影オーダを使用したレポートシステムは、大規模な病院以外で普及しているとは言い難く、臨床医は、読影医に対して読影を依頼するための紙の伝票の作成を強いられていた。
【０００７】
本発明は、上述したような課題に鑑みて為されたものであり、その目的とするところは、読影医に対して読影を依頼するための紙の伝票の作成、ＰＣ上で読影オーダを作成するためのユーザ操作等の手間を無くすことである。
【課題を解決するための手段】
【０００８】
上記の課題を解決するために、請求項１に記載の発明は、
医用画像の読影レポートを管理するレポート管理サーバであって、
前記医用画像、当該医用画像に対応する患者情報及び／又は検査情報を含むデータが記憶された可搬型記憶媒体から前記データを読み出す読出手段と、
前記読出手段を介して読み出した患者情報及び／又は検査情報に基づいて、当該患者情報及び／又は検査情報に対応する医用画像の読影ワークリストを生成する生成手段と、
を備える。
【０００９】
請求項２に記載の発明は、請求項１に記載の発明において、
前記生成手段は、前記読出手段を介して読み出した患者情報及び／又は検査情報に基づいて、前記読影ワークリストに含まれる緊急度、読影医又はワークアイテムの項目を設定する。
【００１０】
請求項３に記載の発明は、請求項１又は２に記載の発明において、
前記生成手段は、前記読出手段を介して読み出した患者情報及び／又は検査情報に基づいて、読影医毎に対応する読影ワークリストを生成する。
【００１１】
請求項４に記載のプログラムは、
医用画像の読影レポートを管理するコンピュータを、
前記医用画像、当該医用画像に対応する患者情報及び／又は検査情報を含むデータが記憶された可搬型記憶媒体から前記データを読み出す読出手段、
前記読出手段を介して読み出した患者情報及び／又は検査情報に基づいて、当該患者情報及び／又は検査情報に対応する医用画像の読影ワークリストを生成する生成手段、
として機能させる。
【発明の効果】
【００１２】
請求項１、４に記載の発明によれば、可搬型記憶媒体から読み出した患者情報及び／又は検査情報に基づいて、読影ワークリストを自動的に生成する。そのため、読影医に対して読影を依頼するための紙の伝票の作成、ＰＣ上で読影オーダを作成するためのユーザ操作等の手間を無くすことができる。
【００１３】
請求項２に記載の発明によれば、緊急度、読影医、ワークアイテムの項目を含む読影ワークリストが自動的に生成され、読影医による読影ワークリストの参照の利便性を向上させることができる。
【００１４】
請求項３に記載の発明によれば、読影医毎の読影ワークリストが自動的に生成され、読影医による読影ワークリストの参照の利便性を更に向上させることができる。
【発明を実施するための最良の形態】
【００１５】
以下、図面を参照して、本発明に係る医用画像システムの一実施形態について説明する。
【００１６】
[医用画像システムのシステム構成]
図１に、医用画像システム１のシステム構成を示す。図１に示すように、医用画像システム１は、Ａ病院内医用画像システム２とＢ病院内医用画像システム３とから構成されている。
【００１７】
Ａ病院内医用画像システム２は、Ａ病院内における医用画像システムである。Ａ病院内医用画像システム２は、臨床医用ＰＣ端末１０と、読影医用ＰＣ端末２０と、電子カルテサーバ３０と、レポート管理サーバ４０と、ＲＩＳ５０と、モダリティ６０と、Ａ病院画像サーバ７０と、図示しないその他の装置とから構成されており、各装置は通信ネットワークＮ１を介してデータ通信可能に接続されている。
【００１８】
ＲＩＳ５０は、Ａ病院の放射線科部門内における診療予約、実績管理、材料在庫管理等の情報管理を行う情報管理装置である。ＲＩＳ５０は、電子カルテサーバ３０から受信した撮影オーダ情報をモダリティ６０及びＡ病院画像サーバ７０に送信する。
【００１９】
モダリティ６０は、ＲＩＳ５０から受信した撮影オーダ情報に従って、患者を撮影し、医用画像の画像データ（以下、医用画像データという。）を生成する撮影装置である。また、モダリティ６０は、前記撮影オーダ情報に基づいて、前記医用画像データに関する付帯情報を生成する。そして、モダリティ６０は、医用画像データに付帯情報を付帯させて、ＤＩＣＯＭ規格に則ったＤＩＣＯＭ画像データを生成し、Ａ病院画像サーバ７０に送信する。付帯情報は、患者情報、検査情報、シリーズ情報等を含む。患者情報は、患者ＩＤ、患者名、生年月日、性別等の患者に関する情報である。検査情報は、検査を識別する検査インスタンスＵＩＤ、検査日、検査時刻、受付番号、検査部位、撮影手技、体位、撮影装置、依頼医師、依頼科、検査記述等の撮影に関する情報である。シリーズ情報とは、一つの検査の中で生成される撮影装置毎の一連の医用画像の単位（シリーズ）を示すシリーズインスタンスＵＩＤや撮影装置の種別を含むデータである。モダリティ６０としては、ＣＲ装置、ＣＴ装置、ＭＲＩ装置等、様々な種類の医用画像を撮影する撮影装置が適用可能である。
【００２０】
Ａ病院画像サーバ７０は、モダリティ６０から送信されたＤＩＣＯＭ画像データ、メディア（可搬型記憶媒体）Ｍから読み出したＤＩＣＯＭ画像データ等を保存し（ＩＭＰＯＲＴし）、管理する。また、Ａ病院画像サーバ７０は、他装置から受信するデータ取得要求に応じて、ＤＩＣＯＭ画像データ、ＤＩＣＯＭ画像データの付帯情報に含まれる患者情報、検査情報等を当該他装置に提供する。
【００２１】
電子カルテサーバ３０は、診療録データを管理する診療録データ管理機能を有し、患者の病状や診断結果等を保存する。電子カルテサーバ３０は、臨床医用ＰＣ端末１０や図示しないその他のクライアント端末において作成された診療録データを保存する。また、電子カルテサーバ３０は、臨床医用ＰＣ端末１０等からの指示信号に基づいて、患者の撮影を依頼するための撮影オーダ情報を生成し、ＲＩＳ５０に送信する。撮影オーダ情報は、患者情報や検査情報等を含む。
【００２２】
レポート管理サーバ４０は、医用画像の読影レポートを管理するレポート管理機能を有し、読影医用ＰＣ端末２０等のクライアント端末で作成された読影レポート等を保存する。また、レポート管理サーバ４０は、メディアＭからＤＩＣＯＭ画像データ等を読み出して保存し（ＩＭＰＯＲＴし）、当該ＤＩＣＯＭ画像データの付帯情報に含まれる患者情報及び検査情報に基づいて読影ワークリストを生成する。
【００２３】
読影医用ＰＣ端末２０は、医用画像を表示するモニタを有し、読影医が医用画像の読影レポートを作成することを主な目的として設置されるＰＣ（Personal Computer）等の端末である。読影医用ＰＣ端末２０は、読影医によるユーザ操作に基づき、読影レポートを作成し、レポート管理サーバ４０に送信する。そして、レポート管理サーバ４０は、送信された読影レポートを保存する。また、読影医用ＰＣ端末２０は、読影医によるユーザ操作に基づき、Ａ病院画像サーバ７０にＤＩＣＯＭ画像データの取得要求を送信し、ＤＩＣＯＭ画像データを取得する。そして、当該ＤＩＣＯＭ画像データに基づきモニタに医用画像を表示する。
【００２４】
臨床医用ＰＣ端末１０は、臨床医が診療録データを作成することを主な目的として設置されるＰＣ等の端末である。臨床医用ＰＣ端末１０は、臨床医によるユーザ操作に基づき、診療録データを作成し、電子カルテサーバ３０に送信する。そして、電子カルテサーバ３０は、送信された診療録データを保存する。
【００２５】
Ｂ病院内医用画像システム３は、Ｂ病院内における医用画像システムである。Ｂ病院内医用画像システム３は、ＲＩＳ８０と、Ｂ病院画像サーバ９０と、モダリティ１００と、図示しないその他の装置とから構成されており、各装置は通信ネットワークＮ２を介してデータ通信可能に接続されている。
【００２６】
ＲＩＳ８０は、Ｂ病院の放射線科部門内における診療予約、実績管理、材料在庫管理等の情報管理を行う情報管理装置である。ＲＩＳ８０は、Ｂ病院内医用画像システム３内に設置されている図示しない電子カルテサーバから受信した撮影オーダ情報をモダリティ１００及びＢ病院画像サーバ９０に送信する。
【００２７】
モダリティ１００は、ＲＩＳ８０から受信した撮影オーダ情報に従って、患者を撮影し、医用画像の画像データを生成する撮影装置である。また、モダリティ１００は、前記撮影オーダ情報に基づいて、前記医用画像データに関する付帯情報を生成する。そして、モダリティ１００は、医用画像データに付帯情報を付帯させて、ＤＩＣＯＭ規格に則ったＤＩＣＯＭ画像データを生成し、Ｂ病院画像サーバ９０に送信する。モダリティ１００としては、ＣＲ装置、ＣＴ装置、ＭＲＩ装置等、様々な種類の医用画像を撮影する撮影装置が適用可能である。
【００２８】
Ｂ病院画像サーバ９０は、モダリティ１００から送信されたＤＩＣＯＭ画像データ等を保存し、管理する。また、Ｂ病院画像サーバ９０は、他装置から受信するデータ取得要求に応じて、ＤＩＣＯＭ画像データ、ＤＩＣＯＭ画像データの付帯情報に含まれる患者情報、検査情報等を当該他装置に提供する。また、Ｂ病院画像サーバ９０は、ＩＨＥ（Integrating Healthcare Enterprise）およびＩＨＥ−Ｊ（Integrating Healthcare Enterprise - Japan）のＰＤＩ（Portable Data for Imaging）によって定められたデータ構造に則って、メディアＭにＤＩＣＯＭ画像データ等を書き込む（ＥＸＰＯＲＴする）。
【００２９】
[Ｂ病院画像サーバの機能的構成]
図２に、Ｂ病院画像サーバ９０の機能的構成を示す。図２に示すように、Ｂ病院画像サーバ９０は、制御部９１、操作部９２、表示部９３、通信部９４、ＲＯＭ（Read Only Memory）９５、記憶装置９６、メディアドライブ９７を備えて構成され、各部はバス９８により接続されている。
【００３０】
制御部９１は、ＣＰＵ（Central Processing Unit）、ＲＡＭ（Random Access Memory）等から構成され、Ｂ病院画像サーバ９０の各部の処理動作を統括的に制御する。具体的には、ＣＰＵは、操作部９２から入力される操作信号又は通信部９４により受信される指示信号に応じて、ＲＯＭ９５に記憶されている各種処理プログラムを読み出し、ＲＡＭ内に形成されたワークエリアに展開し、当該プログラムとの協働により各種処理を行う。
【００３１】
操作部９２は、カーソルキー、数字入力キー、及び各種機能キー等を備えたキーボードと、マウス等のポインティングデバイスを備えて構成され、キーボードに対するキー操作やマウス操作により入力された操作信号を制御部９１に出力する。
【００３２】
表示部９３は、ＬＣＤ（Liquid Crystal Display）により構成され、制御部９１から入力される表示データに基づいて各種画面を表示する。
【００３３】
通信部９４は、ＬＡＮ（Local Area Network）アダプタ、ルータ、ＴＡ（Terminal Adapter）等を備え、通信ネットワークＮ２を介して接続されたＲＩＳ８０、モダリティ１００等の外部機器との間でデータの送受信を行う。
【００３４】
ＲＯＭ９５は、不揮発性の半導体メモリ等により構成され、制御プログラム、当該プログラムの実行に必要なパラメータやファイル等を記憶している。
【００３５】
記憶装置９６は、ハードディスク等から構成され、モダリティ１００により生成されたＤＩＣＯＭ画像データ等を記憶する。
【００３６】
メディアドライブ９７は、制御部９１からの制御信号に基づき、メディアＭに各種データを書き込む。また、メディアドライブ９７は、制御部９１からの制御信号に基づき、メディアＭに記憶されているデータを読み出す。
【００３７】
制御部９１は、通信部９４を介して、モダリティ１００からＤＩＣＯＭ画像データを受信すると、当該ＤＩＣＯＭ画像データを記憶装置９６に保存する（記憶させる）。また、制御部９１は、外部装置から送信される取得要求に応じて、通信部９４を介して、記憶装置９６に記憶されているＤＩＣＯＭ画像データや当該ＤＩＣＯＭ画像データの付帯情報に含まれる患者情報、検査情報を当該外部装置に送信する（提供する）。
【００３８】
また、制御部９１は、操作部９２からの操作信号や、通信部９４からの指示信号に基づいて、ＰＤＩによって定められたデータ構造に則って、記憶装置９６に記憶されているＤＩＣＯＭ画像データ、簡易ビューワデータ等をメディアＭに書き込む（ＥＸＰＯＲＴする）。ここで、簡易ビューワデータとは、高度な医用画像処理機能を備えた閲覧端末（ＤＩＣＯＭビューワ端末）でなくとも閲覧表示することができる、簡易ビューワに関するデータである。
【００３９】
[Ａ病院画像サーバの機能的構成]
図３に、Ａ病院画像サーバ７０の機能的構成を示す。図３に示すように、Ａ病院画像サーバ７０は、制御部７１、操作部７２、表示部７３、通信部７４、ＲＯＭ７５、記憶装置７６、メディアドライブ７７を備えて構成され、各部はバス７８により接続されている。
【００４０】
制御部７１は、ＣＰＵ、ＲＡＭ等から構成され、Ａ病院画像サーバ７０の各部の処理動作を統括的に制御する。具体的には、ＣＰＵは、操作部７２から入力される操作信号又は通信部７４により受信される指示信号に応じて、ＲＯＭ７５に記憶されている各種処理プログラムを読み出し、ＲＡＭ内に形成されたワークエリアに展開し、当該プログラムとの協働により各種処理を行う。
【００４１】
操作部７２は、カーソルキー、数字入力キー、及び各種機能キー等を備えたキーボードと、マウス等のポインティングデバイスを備えて構成され、キーボードに対するキー操作やマウス操作により入力された操作信号を制御部７１に出力する。
【００４２】
表示部７３は、ＬＣＤ（Liquid Crystal Display）により構成され、制御部７１から入力される表示データに基づいて各種画面を表示する。
【００４３】
通信部７４は、ＬＡＮ（Local Area Network）アダプタ、ルータ、ＴＡ（Terminal Adapter）等を備え、通信ネットワークＮ１を介して接続されたＲＩＳ５０、モダリティ６０、読影医用ＰＣ端末２０等の外部機器との間でデータの送受信を行う。
【００４４】
ＲＯＭ７５は、不揮発性の半導体メモリ等により構成され、制御プログラム、当該プログラムの実行に必要なパラメータやファイル等を記憶している。
【００４５】
記憶装置７６は、ハードディスク等から構成され、モダリティ６０により生成されたＤＩＣＯＭ画像データ、メディアＭから読み出したＤＩＣＯＭ画像データ等を記憶する。
【００４６】
メディアドライブ７７は、制御部７１からの制御信号に基づき、メディアＭに各種データを書き込む。また、メディアドライブ７７は、制御部７１からの制御信号に基づき、メディアＭに記憶されているデータを読み出す。
【００４７】
制御部７１は、通信部７４を介して、モダリティ６０からＤＩＣＯＭ画像データを受信すると、当該ＤＩＣＯＭ画像データを記憶装置７６に保存する（記憶させる）。また、メディアドライブ７７が、メディアＭに記憶されているＤＩＣＯＭ画像データを読み出すと、制御部７１は、当該ＤＩＣＯＭ画像データを記憶装置７６に保存する（記憶させる）。
【００４８】
また、制御部７１は、外部装置から送信される取得要求に応じて、通信部７４を介して、記憶装置７６に記憶されているＤＩＣＯＭ画像データや当該ＤＩＣＯＭ画像データの付帯情報に含まれる患者情報、検査情報を当該外部装置に送信する（提供する）。
【００４９】
[レポート管理サーバの機能的構成]
図４に、レポート管理サーバ４０の機能的構成を示す。図４に示すように、レポート管理サーバ４０は、制御部４１、操作部４２、表示部４３、通信部４４、ＲＯＭ４５、記憶部４６、メディアドライブ４７を備えて構成され、各部はバス４８により接続されている。
【００５０】
制御部４１は、ＣＰＵ、ＲＡＭ等から構成され、レポート管理サーバ４０の各部の処理動作を統括的に制御する。具体的には、ＣＰＵは、操作部４２から入力される操作信号又は通信部４４により受信される指示信号に応じて、ＲＯＭ４５に記憶されている各種処理プログラムを読み出し、ＲＡＭ内に形成されたワークエリアに展開し、当該プログラムとの協働により各種処理を行う。
【００５１】
操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。
【００５２】
表示部４３は、ＬＣＤにより構成され、制御部４１から入力される表示データに基づいて各種画面を表示する。
【００５３】
通信部４４は、ＬＡＮアダプタ、ルータ、ＴＡ等を備え、通信ネットワークＮ１を介して接続された読影医用ＰＣ端末２０等の外部機器との間でデータの送受信を行う。
【００５４】
ＲＯＭ４５は、不揮発性の半導体メモリ等により構成され、制御プログラム、当該プログラムの実行に必要なパラメータやファイル等を記憶している。
【００５５】
記憶部４６は、ハードディスク等から構成され、緊急度設定テーブル４６１、読影医師設定テーブル４６２、ワークアイテム設定テーブル４６３等のデータを記憶する。
【００５６】
緊急度設定テーブル４６１は、撮影が行われた撮影装置と緊急度とを対応付けるテーブルであり、各撮影装置に対して「３時間以内」、「１日以内」、「３日以内」等の読影期限が緊急度として設定されている。例えば、救急外来で使用される撮影装置に対しては、「３時間以内」に読影を完了するように緊急度が設定される。
【００５７】
読影医師設定テーブル４６２は、撮影が行われた撮影装置、検査部位及び曜日と読影医師とを対応付けるテーブルであり、各撮影装置、検査部位及び曜日の組み合わせに対して読影医師が設定されている。例えば、撮影装置や検査部位毎の専門分野に応じた医師や、各医師の勤務状況に応じた出勤予定の医師が設定される。
【００５８】
ワークアイテム設定テーブル４６３は、撮影が行われた撮影装置及び検査部位とワークアイテムとを対応付けるテーブルであり、各撮影装置及び検査部位の組み合わせに対してワークアイテムが設定されている。ワークアイテムとは、読影オーダの種類を示すもので、医用画像を診断して気付いたことを記述する「解釈」、二人の医師が個別に同一の医用画像を読影する「二重読影」等がある。例えば、ＰＥＴ（Positron Emission Tomography）検査の場合等、高度なスキルが必要とされる場合には「二重読影」が設定される。
【００５９】
メディアドライブ４７は、制御部４１からの制御信号に基づき、メディアＭに各種データを書き込む。また、メディアドライブ４７は、制御部４１からの制御信号に基づき、メディアＭに記憶されているデータを読み出す。
【００６０】
制御部４１は、メディアドライブ４７にメディアＭがセットされると、メディアドライブ４７にメディアＭに記憶されているＤＩＣＯＭ画像データを読み出させ、当該ＤＩＣＯＭ画像データを記憶部４６に保存する（記憶させる）。また、制御部４１は、当該メディアＭに記憶されている簡易ビューワデータを読み出させ、当該簡易ビューワデータを記憶部４６に保存する。
【００６１】
また、制御部４１は、当該ＤＩＣＯＭ画像データの付帯情報に含まれる患者情報及び検査情報に基づいて、当該患者情報及び検査情報に対応するワークオブジェクトを生成する（以下、当該処理を「ワークオブジェクト生成処理」と称す）。ワークオブジェクトとは、一検査において撮影した一連の医用画像に対する読影作業に関する情報を示したデータであり、「緊急度」、「読影医」、「ワークアイテム」「読影状況」の項目を含む。制御部４１は、ワークオブジェクトを生成する際に、患者情報及び検査情報に基づいて、「緊急度」、「読影医」、「ワークアイテム」の項目の値を設定する。また、制御部４１は、「読影状況」の項目の初期値として「未」を設定する。
【００６２】
また、制御部４１は、読影ワークリストを生成する。読影ワークリストとは、読影医が行うべき読影作業を示したワークリストである。読影ワークリストは、一又は複数のワークオブジェクトから構成される。
【００６３】
制御部４１は、通信部４４を制御して、生成された読影ワークリストを読影医用ＰＣ端末２０等に送信させる。
【００６４】
[医用画像システム内の各装置の具体的な動作]
次に、医用画像システム１において実行される処理の具体的な動作について説明する。
【００６５】
図５は、医用画像システム１において実行される処理を示すラダーチャートである。まず、Ｂ病院内医用画像システム３を構成するモダリティ１００において、検査対象患者が撮影され、生成されたＤＩＣＯＭ画像データがＢ病院画像サーバ９０に送信されると、Ｂ病院画像サーバ９０では、制御部９１により、通信部９４を介して受信したＤＩＣＯＭ画像データが記憶装置９６に保存される（ステップＳ１）。
【００６６】
ユーザは、操作部９２を介してメディアＭに書き込むＤＩＣＯＭ画像データを選択する。そして、制御部９１により、操作部９２からの操作信号に基づいて、記憶装置９６に保存されているＤＩＣＯＭ画像データが選択される（ステップＳ２）。そして、制御部９１により、選択されたＤＩＣＯＭ画像データが、ＰＤＩによって定められたデータ構造に則って、簡易ビューワデータと共に、メディアドライブ９７を介してメディアＭに出力される（書き込まれる）（ステップＳ３）。図６（ａ）及び（ｂ）に、メディアＭに書き込まれるＤＩＣＯＭ画像データの付帯情報に含まれる患者情報及び検査情報の例を示す。図６（ａ）及び（ｂ）に示すように、患者情報は、患者ＩＤ、患者名、生年月日、性別等から、検査情報は、依頼科、依頼医師、受付番号（検査に対応）、検査日、検査記述、撮影装置、検査部位等から構成される。
【００６７】
ユーザは、ＤＩＣＯＭ画像データが書き込まれたメディアＭをＢ病院画像サーバ９０のメディアドライブ９７から取り出し、当該メディアＭをＡ病院内医用画像システム２を構成するレポート管理サーバ４０のメディアドライブ４７にセットする。
【００６８】
レポート管理サーバ４０では、制御部４１により、メディアドライブ４７を介してメディアＭからＤＩＣＯＭ画像データが簡易ビューワデータと共に読み出される（ステップＳ４）。そして、制御部４１により、ＤＩＣＯＭ画像データの付帯情報に含まれる患者情報及び検査情報に基づいて、当該患者情報及び検査情報に対応する医用画像のワークオブジェクト生成処理が行われる（ステップＳ５）。そして、制御部４１により、生成されたワークオブジェクトは記憶部４６に保存される。
【００６９】
ここで、図７を参照して、ワークオブジェクト生成処理を説明する。まず、制御部４１により、ワークオブジェクトのオーダ番号が採番され（ステップＴ１）、メディアＭから読み出したＤＩＣＯＭ画像データの付帯情報に含まれる患者情報及び検査情報の内容がワークオブジェクトとして記述される（ステップＴ２）。
【００７０】
次に、制御部４１により、検査情報に含まれる撮影装置に基づいて、緊急度設定テーブル４６１が参照され、撮影が行われた撮影装置に対応する緊急度が設定される（ステップＴ３）。
【００７１】
次に、制御部４１により、検査情報に含まれる撮影装置、検査部位及び検査日に基づいて、読影医師設定テーブル４６２が参照され、撮影が行われた撮影装置、検査部位及び曜日に対応する読影医師が設定される（ステップＴ４）。
【００７２】
次に、制御部４１により、検査情報に含まれる撮影装置及び検査部位に基づいて、ワークアイテム設定テーブル４６３が参照され、撮影が行われた撮影装置及び検査部位に対応するワークアイテムが設定される（ステップＴ５）。
【００７３】
図８に、図６（ａ）に示すＤＩＣＯＭ画像データの付帯情報に含まれる患者情報及び検査情報に基づいて生成されたワークオブジェクトの例を示す。
【００７４】
図５に戻り、レポート管理サーバ４０では、制御部４１により、記憶部４６に保存されている１又は複数のワークオブジェクトと、読影医用ＰＣ端末２０からの読影ワークリスト取得要求とに基づいて、読影ワークリストが生成される（ステップＳ６）。そして、読影医用ＰＣ端末２０において作成された読影レポートが保存される（ステップＳ７）。ステップＳ６、Ｓ７についての詳細は後述する。
【００７５】
次に、ユーザは、ステップＳ３において、Ｂ病院画像サーバ９０でＤＩＣＯＭ画像データが書き込まれたメディアＭをＡ病院画像サーバ７０のメディアドライブ７７にセットする。
【００７６】
Ａ病院画像サーバ７０では、制御部７１により、メディアドライブ７７を介してメディアＭからＤＩＣＯＭ画像データが読み出される（ステップＳ８）。そして、制御部４１により、当該ＤＩＣＯＭ画像データは、記憶装置７６に保存される（ステップＳ９）。以上で処理が終了する。
【００７７】
[レポート管理サーバと読影医用ＰＣ端末との間における具体的な動作]
次に、レポート管理サーバ４０と読影医用ＰＣ端末２０との間において実行される処理の具体的な動作について説明する。当該処理は、図５におけるステップＳ６、Ｓ７に該当する。
【００７８】
図９は、レポート管理サーバ４０と読影医用ＰＣ端末２０との間において実行される処理を示すラダーチャートである。まず、読影医用ＰＣ端末２０において、読影医の操作に基づき、読影ワークリスト取得要求が生成される。ここで、当該読影ワークリスト取得要求には、ユーザ操作を行った読影医を特定する読影医特定情報が含まれる。例えば、読影医用ＰＣ端末２０からレポート管理サーバ４０へのログイン名等が読影医特定情報となる。そして、当該読影ワークリスト取得要求は、レポート管理サーバ４０に送信される（ステップＳ１０１）。
【００７９】
レポート管理サーバ４０では、通信部４４により、読影医用ＰＣ端末２０から読影ワークリスト取得要求が受信されると、制御部４１により、当該読影ワークリスト取得要求に含まれる読影医特定情報に基づいて、記憶部４６に記憶されているワークオブジェクトが検索される（ステップＳ１０２）。具体的には、前記読影医特定情報と、ワークオブジェクトに含まれる「読影医師」とが比較され、該当するワークオブジェクトが抽出される。そして、制御部４１により、抽出された一又は複数のワークオブジェクト（ワークオブジェクト群）に基づき、読影医特定情報により特定される読影医用の読影ワークリストが生成される（ステップＳ１０３）。
【００８０】
そして、制御部４１の制御に従って、通信部４４により、当該読影ワークリストが読影医用ＰＣ端末２０に送信される（ステップＳ１０４）。また、制御部４１の制御に従って、通信部４４により、メディアＭから読み出した、当該読影ワークリストに対応する簡易ビューワデータを送信する（ステップＳ１０５）。
【００８１】
読影医用ＰＣ端末２０では、レポート管理サーバ４０から受信した読影ワークリストに基づいて、読影ワークリスト画面２３１（図１０参照）がモニタに表示される（ステップＳ１０６）。
【００８２】
図１０に、読影ワークリスト画面２３１の画面例を示す。読影ワークリスト画面２３１は、更新ボタンｄ１、表示用読影ワークリストｄ２等から構成される。表示用読影ワークリストｄ２は、「患者ＩＤ」「患者氏名」「検査日」「部位」「検査種類」「読影状況」の項目から成る。各項目は、それぞれワークオブジェクトの「患者ＩＤ」、「患者氏名」、「検査日」、「検査部位」、「撮影装置」、「読影状況」に対応する。また、表示用読影ワークリストｄ２の１レコードは、１つのワークオブジェクトに対応する。
【００８３】
更新ボタンｄ１は、表示用読影ワークリストｄ２を更新するためのボタンである。更新ボタンｄ１がクリックされると、読影ワークリスト取得要求がレポート管理サーバ４０に送信され、表示用読影ワークリストｄ２が更新される。
【００８４】
また、表示用読影ワークリストｄ２のレコードがダブルクリックされると、当該レコードに対応するワークオブジェクトに対応する検査の読影レポートを作成するための、読影レポート入力画面２３２（図１１参照）と簡易ビューワ画面２３３（図１２参照）が表示される。
【００８５】
図１１に、読影レポート入力画面２３２の画面例を示す。読影レポート入力画面２３２は、保存ボタンｄ１１、所見入力欄ｄ１２等から構成される。読影医により所見入力欄ｄ１２に、前記ワークオブジェクトに対応する検査の読影レポートが入力され、更に、読影医により保存ボタンｄ１１がクリックされると、当該入力により作成された読影レポートが、レポート管理サーバ４０に送信される。
【００８６】
図１２に、簡易ビューワ画面２３３の画面例を示す。簡易ビューワ画面２３３は、簡易ビューワデータに基づいて表示される。簡易ビューワ画面２３３は、簡易医用画像表示部ｄ２１等から構成される。読影医は、当該簡易医用画像表示部ｄ２１に表示される医用画像を参照し、読影レポート入力画面２３２上で読影レポートを作成する。
【００８７】
図９に戻り、前述のように、読影医用ＰＣ端末２０では、読影レポートが作成され（ステップＳ１０７）、当該作成された読影レポートがレポート管理サーバ４０に送信される（ステップＳ１０８）。
【００８８】
レポート管理サーバ４０では、通信部４４により、読影医用ＰＣ端末２０から読影レポートが受信されると、当該読影レポートが保存される（ステップＳ１０９）。そして、制御部４１により、該当するワークオブジェクトの項目「読影状況」の値が「未」から「済」に更新される（ステップＳ１１０）。
【００８９】
以上、本実施の形態によると、レポート管理サーバ４０は、メディアＭから読み出したＤＩＣＯＭ画像データの付帯情報に含まれる患者情報及び検査情報に基づいて、当該患者情報及び／又は検査情報に対応する医用画像のワークオブジェクトを自動的に生成する。レポート管理サーバ４０は、読影医用ＰＣ端末２０から読影ワークリスト取得要求を受信すると、生成されたワークオブジェクトに基づいて、読影オーダに代わる読影ワークリストを自動的に生成し、読影医用ＰＣ端末２０に送信する。
【００９０】
そのため、読影医に対して読影を依頼するための紙の伝票の作成、ＰＣ上で読影オーダを作成するためのユーザ操作等の手間を無くすことができる。また、臨床医は、臨床医用ＰＣ端末１０等のＰＣ上で読影オーダ情報を作成するための手入力を行う必要は無く、臨床医の手間が軽減され且つ誤入力を避けることができる。また、読影医は、読影医用ＰＣ端末２０等のＰＣからレポート管理サーバ４０にログイン（アクセス）して、自分の担当する読影作業の一覧を知ることができる。
【００９１】
また、レポート管理サーバ４０は、メディアＭからＤＩＣＯＭ画像データを読み込むだけで、読影ワークリストを自動的に生成することができる。そのため、レポート管理サーバ４０が通信ネットワークＮ１に接続されていない場合でも、読影作業の管理を行うことができる。
【００９２】
尚、上記実施の形態における記述は、本発明に係る医用画像システムの一例であり、これに限定されるものではない。システムを構成する各装置の細部構成及び細部動作に関しても適宜変更可能である。
【００９３】
また、上記実施の形態では、プログラムを格納したコンピュータ読み取り可能な媒体としてＲＯＭを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することが可能である。また、プログラムのデータを通信回線を介して提供する媒体として、キャリアウエーブ（搬送波）も適用可能である。
【図面の簡単な説明】
【００９４】
【図１】本発明の一実施形態における医用画像システムのシステム構成図である。
【図２】Ｂ病院画像サーバのブロック図である。
【図３】Ａ病院画像サーバのブロック図である。
【図４】レポート管理サーバのブロック図である。
【図５】医用画像システムにおいて実行される処理を示すラダーチャートである。
【図６】患者情報及び検査情報のデータ構成図である。
【図７】ワークオブジェクト生成処理を示すフローチャートである。
【図８】ワークオブジェクトの例である。
【図９】レポート管理サーバと読影医用ＰＣ端末との間において実行される処理を示すラダーチャートである。
【図１０】読影ワークリスト画面の画面例である。
【図１１】読影レポート入力画面の画面例である。
【図１２】簡易ビューワ画面の画面例である。
【符号の説明】
【００９５】
１        医用画像システム
２        Ａ病院内医用画像システム
３        Ｂ病院内医用画像システム
１０      臨床医用ＰＣ端末
２０      読影医用ＰＣ端末
３０      電子カルテサーバ
４０      レポート管理サーバ
４１      制御部
４２      操作部
４３      表示部
４４      通信部
４５      ＲＯＭ
４６      記憶部
４７      メディアドライブ
４８      バス
５０      ＲＩＳ
６０      モダリティ
７０      Ａ病院画像サーバ
７１      制御部
７２      操作部
７３      表示部
７４      通信部
７５      ＲＯＭ
７６      記憶装置
７７      メディアドライブ
７８      バス
８０      ＲＩＳ
９０      Ｂ病院画像サーバ
９１      制御部
９２      操作部
９３      表示部
９４      通信部
９５      ＲＯＭ
９６      記憶装置
９７      メディアドライブ
９８      バス
１００    モダリティ
２３１    読影ワークリスト画面
２３２    読影レポート入力画面
２３３    簡易ビューワ画面
４６１    緊急度設定テーブル
４６２    読影医師設定テーブル
４６３    ワークアイテム設定テーブル
ｄ１      更新ボタン
ｄ２      表示用読影ワークリスト
ｄ１１    保存ボタン
ｄ１２    所見入力欄
ｄ２１    簡易医用画像表示部
Ｍ        メディア
Ｎ１      通信ネットワーク
Ｎ２      通信ネットワーク
【図１】
2009176134.tif 000003
【図２】
2009176134.tif 000004
【図３】
2009176134.tif 000005
【図４】
2009176134.tif 000006
【図５】
2009176134.tif 000007
【図６】
2009176134.tif 000008
【図７】
2009176134.tif 000009
【図８】
2009176134.tif 000010
【図９】
2009176134.tif 000011
【図１０】
2009176134.tif 000012
【図１１】
2009176134.tif 000013
【図１２】
2009176134.tif 000014